(57)【要約】 【課題】容器内に流入した水を容器の底部に水勢を減衰させて案内することができ、製造コストの増大を招くことなく流入孔及び底部間の距離が異なる複数の容器に対応させることができ、更に、案内部材の交換作業を容易に行うことができる落差工を提供する。【解決手段】マンホール１４内に配置され、マンホール１４に形成された流入孔１７を経てマンホール１４内に流入した下水をマンホール１４の底部１５に案内するための複数の案内部材２０を、流入孔１７を経てマンホール１４内に流入した下水の勢いを減衰させるための流路２４をマンホール１４内に各案内部材２０の傾斜面２２で規定するように互いに組み合わせる。【選択図】図１
2008121348.tif 000002
【特許請求の範囲】
【請求項１】
内部に水を流入させるための流入孔と該流入孔の高さ位置よりも低い高さ位置に配置され該流入孔から流入した水を外部に流出させるための流出孔とが形成された容器と、該容器内に配置され、前記流入孔を経て前記容器内に流入した水を前記容器の底部に案内するための複数の案内部材とを備え、該各案内部材は、前記流入孔を経て前記容器内に流入した水の勢いを減衰させる流路を前記容器内に規定すべく互いに組み合わされていることを特徴とする落差工。
【請求項２】
前記各案内部材は、それぞれ所定の角度で傾斜する傾斜面を有し、前記流路は互いに組み合わされた各案内部材の前記傾斜面により規定されており、前記各案内部材は、前記流路が階段状をなすように、それぞれの前記傾斜面の高さ位置が前記容器の深さ方向に互いにずれるように互いに組み合わされていることを特徴とする請求項１に記載の落差工。
【請求項３】
前記各案内部材は、それぞれ所定の角度で傾斜する傾斜面を有し、前記流路は互いに組み合わされた各案内部材の前記傾斜面により規定されており、前記各案内部材は、前記流路が前記容器の深さ方向に沿った軸の周りに巻回された螺旋状をなすように、それぞれ組み合わされていることを特徴とする請求項１に記載の落差工。
【発明の詳細な説明】
【技術分野】
【０００１】
本発明は、流入孔及び流出孔がそれぞれの間に落差が生じるように形成されたマンホールのような容器を備える例えば下水管路に用いるのに好適な落差工に関する。
【背景技術】
【０００２】
従来、マンホールを備える下水管路において、マンホールの軸線周りに螺旋状に巻回され、マンホールの周壁の上部に形成された流入孔を経てマンホール内に流入した水をマンホールの底部に案内すべくマンホール内に設けられた案内部材を備える落差工が知られている（例えば、特許文献１参照。）。案内部材は、管部材からなり、その一端は流入孔に接続され、その他端はマンホールの底部に向けて開放する。
【０００３】
この落差工によれば、流入孔を経てマンホール内に流入した水が案内部材内を通ることにより、流入孔からマンホールの底部に向けての水勢がマンホールの側方に分散されるので、マンホール内に流入した水の勢いを減衰させることができる。これにより、流入孔を経てマンホール内に流入した水が底部に直接流下したときに、流入孔と底部との落差によって水から受ける圧力による底部の損傷や水が底部に直接流下することによる騒音の発生等を防止することができる。
【特許文献１】特開２００２−３５６９０３号公報
【発明の開示】
【発明が解決しようとする課題】
【０００４】
しかしながら、マンホール内に流入する水の勢いを減衰させるために水を流入孔からマンホールの底部に案内するための螺旋状の案内部材をマンホール内に設けることから、流入孔と底部との間の距離の大きさが互いに異なるマンホール毎に、マンホールの軸線に沿った長さ寸法が流入孔及び底部間の距離に応じた大きさを有する専用の案内部材を用意する必要がある。このため、マンホール毎に専用の案内部材を製造することによる製造コストの増大を招く。
【０００５】
また、マンホール内に流入する水の勢いを減衰させるための案内部材が単一の部材からなることから、案内部材に部分的に例えば破損が生じた場合、破損した部分のみを交換することはできず、案内部材全体を交換する必要がある。このため、案内部材の交換作業が煩雑になる。
【０００６】
そこで、本発明の目的は、マンホールのような容器内に流入した水を容器の底部に水勢を減衰させて案内することができ、製造コストの増大を招くことなく流入孔及び底部間の距離が異なる複数の容器に対応させることができ、更に、案内部材の交換作業を容易に行うことができる落差工を提供することにある。
【課題を解決するための手段】
【０００７】
上記課題を解決するために、請求項１に記載の発明は、内部に水を流入させるための流入孔と該流入孔の高さ位置よりも低い高さ位置に配置され該流入孔から流入した水を外部に流出させるための流出孔とが形成された容器と、該容器内に配置され、前記流入孔を経て前記容器内に流入した水を前記容器の底部に案内するための複数の案内部材とを備え、該各案内部材は、前記流入孔を経て前記容器内に流入した水の勢いを減衰させる流路を前記容器内に規定すべく互いに組み合わされていることを特徴とする。
【０００８】
請求項２に記載の発明は、請求項１に記載の発明において、前記各案内部材は、それぞれ所定の角度で傾斜する傾斜面を有し、前記流路は互いに組み合わされた各案内部材の前記傾斜面により規定されており、前記各案内部材は、前記流路が階段状をなすように、それぞれ前記傾斜面の高さ位置が前記容器の深さ方向に互いにずれるように互いに組み合わされていることを特徴とする。
【０００９】
請求項３に記載の発明は、請求項１に記載の発明において、前記各案内部材は、それぞれ所定の角度で傾斜する傾斜面を有し、前記流路は互いに組み合わされた各案内部材の前記傾斜面により規定されており、前記各案内部材は、前記流路が前記容器の深さ方向に沿った軸の周りに巻回された螺旋状をなすように、それぞれ組み合わされていることを特徴とする。
【発明の効果】
【００１０】
請求項１に記載の発明によれば、容器に形成された流入孔を経て容器内に流入した水を容器の底部に案内するための複数の案内部材が容器内に設けられており、各案内部材は、流入孔を経て容器内に流入した水の勢いを減衰させる流路を容器内に規定すべく互いに組み合わされていることから、従来と同様に、流入孔を経て容器内に流入した水が各案内部材により規定された流路内を通ることにより、流入孔から底部に直接流下したときに流入孔と底部との落差によって水から受ける圧力による底部の損傷や水が底部に直接流下することによる騒音の発生等を確実に防止することができる。
【００１１】
また、各案内部材は前記流路を規定すべく互いに組み合わされていることから、流入孔と底部との間の距離の大きさが互いに異なる複数の容器に各案内部材をそれぞれ設ける場合、互いに組み合わされた各案内部材の全体の厚さ寸法が各容器の流入孔と底部との間の距離の大きさに対応するように各案内部材を容器毎に組み合わせることにより、流入孔及び底部間の距離の大きさが異なる複数の容器に各案内部材を汎用させることができる。これにより、流入孔及び底部間の距離が異なる容器毎に専用の案内部材を用意する必要はないので、容器毎に専用の案内部材を製造することによる従来のような製造コストの増大を確実に防止することができる。
【００１２】
更に、流入孔から底部への水の流路が複数の案内部材により規定されていることから、流路の一部に例えば破損が生じた場合、破損が生じた部分に相当する案内部材を交換すればよく、流路を規定する案内部材全てを交換する必要はない。これにより、従来のように案内部材全体を交換する場合に比べて、案内部材の交換作業を確実に容易に行うことができる。
【００１３】
請求項２に記載の発明によれば、各案内部材は、流路が階段状をなすように、それぞれの傾斜面の高さ位置が容器の深さ方向に互いにずれるように互いに組み合わされていることから、流入孔を経て容器内に流入した水の勢いは、傾斜面を流れることにより容器の左右方向に部分的に分散され、更に、上階の各案内部材の傾斜面から下階の各案内部材の傾斜面に流下することにより該傾斜面で部分的に吸収される。これにより、容器内に流入した水の勢いは、各案内部材の傾斜面上すなわち流路を通ることにより該流路の上流から下流に向けて減衰されるので、流入孔を経て容器内に流入した水が底部に直接流下したときに流入孔と底部との落差によって水から受ける圧力による底部の損傷や水が底部に直接流下することによる騒音の発生等を防止することができる。
【００１４】
請求項３に記載の発明によれば、各案内部材は、流路が容器の深さ方向に沿った軸の周りに巻回された螺旋状をなすようにそれぞれ組み合わされていることから、流入孔を経て容器内に流入した水が各案内部材の傾斜面で規定された螺旋状の流路内を通ることにより水に生じる遠心力によって、流入孔から容器の底部に向けての水勢が容器の側方に分散されるので、容器内に流入した水の勢いを流路の上流から下流に向けて減衰させることができる。これにより、流入孔を経て容器内に流入した水が底部に直接流下したときに流入孔と底部との落差によって水から受ける圧力による底部の損傷や水が底部に直接流下することによる騒音の発生等を防止することができる。
【発明を実施するための最良の形態】
【００１５】
本発明を図示の実施例に沿って説明する。
【実施例】
【００１６】
図１は、本発明に係る落差工１０を下水管路１１に適用した例を示す。本発明に係る落差工１０は、図１に示すように、下水管路１１を構成する二つの管部材１２，１３間に配置されたマンホール１４を備える。
【００１７】
マンホール１４は、図示の例では、ほぼ正方形をなした板状の底部１５と、該底部の各縁部からそれぞれ立ち上がる板状の四つの側壁１６とを有し、全体に筒状をなしており、その中心軸が上下方向を向くように配置されている。図示の例では、互いに対向する一対の側壁のうち一方の側壁１６（図１で見て左側に位置する側壁１６である。）の上部１６ａに、マンホール１４内に下水を流入させるための流入孔１７が形成されている。これにより、流入孔１７とマンホール１４の底部１５との間には落差が形成されている。また、図示の例では、前記一対の側壁１６のうち他方の側壁１６（図１で見て右側に位置する側壁１６である。）の下部１６ｂに、マンホール１４内に流入した下水をマンホール１４の外方に流出させるための流出孔１８が形成されている。流入孔１７には一方の管部材１２の一端１２ａが接続されており、流出孔１８には他方の管部材１３の一端１３ａが接続されている。下水は、一方の管部材１２内から流入孔１７を経てマンホール１４内に流入し、更に、流出孔１８を経てマンホール１４内から他方の管部材１３内に流出する。
【００１８】
更に、本発明に係る落差工１０は、流入孔１７を経てマンホール１４内に流入した下水をマンホール１４の底部１５上に案内するための複数の案内部材２０を備える。
【００１９】
各案内部材２０は、それぞれポリエチレン及び塩化ビニルのような合成樹脂材料からなり、平面がほぼ正方形をなした板部材からなる。
【００２０】
各案内部材２０は、図２に示すように、その四つの角部を構成する四本の柱状の連結部２１と、該連結部に固定され、水平面に対して所定の角度で傾斜する傾斜面２２を有する平坦な板状の傾斜板部２３とを備える。
【００２１】
各連結部２１は、図示の例では、それぞれ横断面が二等辺三角形をなした筒状をなしており、中心軸が上下方向を向き且つ斜辺が各案内部材２０の内方へ向くように配置されている。各連結部２１の下端２１ａには、それぞれ他の案内部材２０の対応する連結部２１の上端２１ｂに嵌合可能な嵌合部分２３が形成されている。各案内部材２０の各連結部２１の嵌合部分２３をそれぞれ他の案内部材２０の対応する各連結部２１の上端２１ｂに嵌合させることにより、各案内部材２０がそれぞれ互いに重なり合った状態で連結される。各案内部材２０の側部には、それぞれ図示しない連結手段が設けられており、各案内部材２０は横方向で互いに隣接して配置された各案内部材に前記連結手段を介して連結されている。
【００２２】
傾斜板部２３の傾斜面２２傾斜角度は、下水に含まれる砂利及び塵埃等が下水と共に傾斜面２２上を容易に流れ落ちる大きさに設定されている。これにより、下水に含まれる砂利及び塵埃等が傾斜面２２上に滞留することが防止される。
【００２３】
各案内部材２０は、マンホール１４の底部１５上に３行３列のマトリックス状に整列して配置され、更に、マンホール１４内の底部１５と流入孔１７との間でマンホール１４の深さ方向に積層されている。また、各案内部材２０は、それぞれ流入孔１７を経てマンホール１４内に流入した水の流路２４をマンホール１４内に各傾斜板部２３の傾斜面２２で規定すべく互いに組み合わされている。
【００２４】
図１に示す例では、最上層を構成する各案内部材２０のうち前記一方の側壁１６側に位置する各案内部材２０は、それぞれの傾斜板部２３の傾斜面２２の傾斜が前記一方の側壁１６から前記他方の側壁１６に向けて下り勾配となるように配置されている。また、上から２層目を構成する各案内部材２０のうち図１で見て中央に位置する各案内部材２０は、それぞれの傾斜面２２の傾斜が前記一方の側壁１６から前記他方の側壁１６に向けて下り勾配となるように配置されている。更に、上から３層目を構成する各案内部材２０うち前記他方の側壁１６側に位置する各案内部材２０は、それぞれの傾斜面２２の傾斜が前記他方の側壁１６から前記一方の側壁１６に向けて下り勾配となるように配置されている。また、上から４層目を構成する各案内部材２０のうち図１で見て中央に位置する各案内部材２０は、それぞれの傾斜面２２の傾斜が前記他方の側壁１６から前記一方の側壁１６に向けて下り勾配となるように配置されている。
【００２５】
また、図示の例では、最上層乃至４層目を構成する各案内部材２０のうち前記した各案内部材２０以外の案内部材２０は、それぞれスペーサ部材Ｓに置換されている。各スペーサ部材Ｓは、それぞれの高さ寸法、幅寸法及び奥行寸法がそれぞれ各案内部材２０のそれらに等しく、各案内部材２０の連結部２１、及び、上下方向及び横方向で互いに隣接して配置された各スペーサ部材Ｓに連結可能である。各スペーサ部材Ｓには、それぞれ下水の流通を許す開口２５が形成されている。
【００２６】
このように構成された４層がマンホール１４内に底部１５及び流入孔１７間を充填するようにマンホール１４の深さ方向に繰り返し形成されている。
【００２７】
すなわち、各案内部材２０は、図示の例では、それぞれの傾斜面２２の高さ位置がマンホール１４の深さ方向に互いにずれるように互いに組み合わされており、これにより、各傾斜面２２で規定される流路２４は前記一方の側壁１６及び前記他方の側壁１６でそれぞれ折り返す階段状をなしている。
【００２８】
一方の管部材１２内から流入孔１７を経てマンホール１４内に流入した下水は、最上層の各案内部材２０の傾斜面２２上を下方へ流れ、各スペーサ部材Ｓの開口２５を経て上から２層目の各案内部材２０の傾斜面２２上に流れ落ちる。その後、下水は、上から３層目以下でこの動作を繰り返すことにより、マンホール１４の底部１５上に案内される。このとき、マンホール１４内に流入した下水の勢いは、傾斜面２２を流れることにより前記一方の側壁１６から前記他方の側壁１６に向かう方向又は前記他方の側壁１６から前記一方の側壁１６に向かう方向に部分的に分散され、更に、上層の各案内部材２０の傾斜面２２から下層の各案内部材２０の傾斜面２２に流下することにより該傾斜面で部分的に吸収される。これにより、マンホール１４内に流入した下水の勢いは、各案内部材２０の傾斜面２２上すなわち流路２４を通ることにより該流路の上流から下流に向けて減衰される。
【００２９】
本実施例によれば、前記したように、マンホール１４内に流入した下水をマンホール１４の底部１５に案内するための複数の案内部材２０は、その傾斜板部２３の傾斜面２２で規定される流路２４が階段状をなすように互いに組み合わされており、この流路２４内に下水を通すことにより該下水の勢いを該流路の上流から下流に向けて減衰させることができることから、従来と同様に、底部１５に直接流下したときに流入孔１７と底部１５との落差によって水から受ける圧力による底部１５の損傷や水が底部１５に直接流下することによる騒音の発生等を確実に防止することができる。
【００３０】
また、各案内部材２０は流路２４を規定すべく互いに組み合わされていることから、流入孔１７と底部１５との間の距離の大きさが互いに異なる複数のマンホール１４に各案内部材２０をそれぞれ設ける場合、互いに組み合わされた各案内部材２０の全体の厚さ寸法が各マンホール１４の流入孔１７と底部１５との間の距離の大きさに対応するように各案内部材２０をマンホール１４毎に組み合わせることにより、流入孔１７及び底部１５間の距離の大きさが異なる複数のマンホール１４に各案内部材２０を汎用させることができる。これにより、流入孔１７及び底部１５間の距離が異なるマンホール１４毎に専用の案内部材２０を用意する必要はないので、マンホール１４毎に専用の案内部材２０を製造することによる従来のような製造コストの増大を確実に防止することができる。
【００３１】
更に、流入孔１７からマンホール１４の底部１５への水の流路２４が複数の案内部材２０により規定されていることから、流路２４の一部に例えば破損が生じた場合、破損が生じた部分に相当する案内部材２０を交換すればよく、流路２４を規定する案内部材２０全てを交換する必要はない。これにより、従来のように案内部材２０全体を交換する場合に比べて、案内部材２０の交換作業を確実に容易に行うことができる。
【００３２】
本実施例では、マンホール１４が、ほぼ正方形をなした板状の底部１５を有する例を示したが、これに代えて、例えば円形をなした底部を有するマンホールを本発明に適用することができる。この場合、流入孔１７及び流出孔１８をそれぞれマンホールの円筒状をなした周壁の上部及び下部に形成することができる。
【００３３】
また、本実施例では、各案内部材２０が、マンホール１４の底部１５上に３行３列のマトリックス状に整列して配置された例を示したが、これに代えて、各案内部材２０の傾斜面２２により流路２４が階段状をなすように形成されれば、各案内部材２０をそれぞれ例えば４行４列及び２行３列のように３行３列以外の値のマトリックス状をなすように配置することができ、また、各案内部材２０をマトリックス状以外の態様で配置することができる。
【００３４】
更に、本実施例では、最上層乃至４層目を構成する各案内部材２０のうち前記した各案内部材２０以外の案内部材２０が、それぞれ各案内部材２０の高さ寸法に等しい高さ寸法を有するスペーサ部材Ｓに置換された例を示したが、これに代えて、マンホール１４の上下方向で互いに隣接して配置された各案内部材２０間の間隔とほぼ等しい高さ寸法を有するスペーサ部材を本発明に適用することができる。
【００３５】
また、本実施例では、最上層乃至４層目を構成する各案内部材２０のうち前記した各案内部材２０以外の案内部材２０が、それぞれスペーサ部材Ｓに置換された例を示したが、これに代えて、マンホール１４の上下方向で互いに隣接して配置された各案内部材２０間の間隔を保持することができる部材であれば、スペーサ部材以外の部材を本発明に適用することができる。
【００３６】
更に、本実施例では、傾斜面２２により規定される流路２４が前記一方の側壁１６及び前記他方の側壁１６でそれぞれ折り返す階段状をなした例を示したが、これに代えて、又は、これに加えて、前記一方の側壁１６及び前記他方の側壁１６間の途中で折り返す階段状や、マンホール１４の深さ寸法によっては折り返しを有さない階段状をなすように流路２４を形成することができる。この場合、階段の種類に応じて各案内部材２０の配置を適宜変更することができる。
【００３７】
また、本実施例では、各案内部材２０は、それぞれ傾斜面２２により規定される流路２４が階段状をなすように配置された例を示したが、これに代えて、図３に示すように、流路２４がマンホール１４の中心軸Ｌの周りに巻回された螺旋状をなすように各案内部材２０をそれぞれ配置することができる。
【００３８】
図３に示す例では、各案内部材２０は、それぞれマンホール１４の底部１５上に２行２列のマトリックス状に整列して配置され、更に、マンホール１４内の底部１５と流入孔１７との間でマンホール１４の深さ方向に積層されている。
【００３９】
図示の例では、各層を構成する四つの案内部材２０は、それぞれの傾斜板部２３の傾斜面２２がそれぞれマンホール１４の中心軸Ｌ周りに図３に矢印で示す方向へ回る方向で互いに隣接する各案内部材２０に向けて下り勾配となるように配置されている。
【００４０】
一方の管部材１２から流入孔１７を経てマンホール１４内に流入した下水が例えば最上層を構成する各案内部材２０のうち図３で見て左奥に位置する案内部材２０Ａの傾斜面２２上に流入した場合、下水は、該傾斜面を通った後、上から２層目の図３で見て右奥に位置する案内部材２０Ｂの傾斜面２２上に流下する。更に、下水は、２層目の前記案内部材２０Ｂの傾斜面２２上を経た後、上から３層目の図３で見て右手前に位置する案内部材２０Ｃの傾斜面２２上に流下し、該傾斜面上を流れた後、上から４層目の図３で見て左手前に位置する案内部材２０Ｄの傾斜面２２上に流下する。その後、下水は、上から５層目以下でこの動作を繰り返すことにより、流入孔１７からマンホール１４の底部１５に向けて各層の案内部材２０の傾斜面２２上を通ることによって螺旋状に流れ落ち、マンホール１４の底部１５に案内される。
【００４１】
このとき、マンホール１４内に流入した下水の勢いは、上層の案内部材２０の傾斜面２２から下層の案内部材２０の傾斜面２２に流下することにより該傾斜面で部分的に吸収され、更に、各案内部材２０の傾斜面２２で規定された螺旋状の流路２４内を通ることにより下水に生じる遠心力によってマンホール１４の側方に部分的に分散される。これにより、マンホール１４内に流入した下水の勢いは、各案内部材２０の傾斜面２２上すなわち流路２４を通ることにより該流路の上流から下流に向けて減衰される。
【００４２】
マンホール１４内に流入した下水が最上層の前記右上の案内部材２０以外の他の各案内部材２０の傾斜面２２上に流入した場合、下水は、最上層の前記他の各案内部材２０を経た後、最上層をマンホール１４の中心軸Ｌの周りに９０度回転させたときの前記他の各案内部材２０にそれぞれ対応する位置で２層目に配置された各案内部材２０の傾斜面２２上に流下し、その後、上記したと同様に、マンホール１４の底部１５に案内される。すなわち、図３に示す例では、複数の案内部材２０の傾斜面２２により、中心軸Ｌの周りに巻回された四つの螺旋状の流路２４が形成されている。
【００４３】
図３に示す例によれば、前記したように、各案内部材２０は、流路２４がマンホール１４の中心軸Ｌの周りに巻回された螺旋状をなすようにそれぞれ組み合わされており、流入孔１７を経てマンホール１４内に流入した下水が各案内部材２０の傾斜面２２で規定された螺旋状の流路２４内を通ることによりマンホール１４内に流入した下水の勢いを流路２４の上流から下流に向けて減衰させることができることから、流入孔１７を経てマンホール１４内に流入した下水が底部１５に直接流下したときに流入孔１７と底部１５との落差によって水から受ける圧力による底部１５の損傷や下水が底部１５に直接流下することによる騒音の発生等を確実に防止することができる。
【００４４】
図３に示す例では、各案内部材２０がそれぞれ２行２列のマトリックス状に整列して配置された例を示したが、これに代えて、各案内部材２０の傾斜面２２により流路２４が螺旋状をなすように形成されれば、各案内部材２０をそれぞれ例えば４行４列及び２行３列のように２行２列以外の値のマトリックス状をなすように配置することができ、また、各案内部材２０をマトリックス状以外の態様で配置することができる。
【００４５】
また、図３に示す例では、各層が四つの案内部材２０で構成された例を示したが、これに代えて、図示しないが、各層を一つの案内部材２０と三つのスペーサ部材とで構成することができる。前記各スペーサ部材は、図１で示したと同様のスペーサ部材で構成することができる。この場合、各層の案内部材２０は、互いにマンホール１４の中心軸Ｌの周りに９０度ずれた位置に配置される。この各案内部材２０の配置により、各案内部材２０の傾斜面２２でマンホール１４の中心軸Ｌの周りに巻回された一つの螺旋状の流路２４が形成される。
【００４６】
図１乃至図３に示す例では、下水が流入される容器がマンホール１４で構成された例を示したが、これに代えて、マンホール１４以外の容器を本発明に適用することができる。
【００４７】
また、図１乃至図３に示す例では、本発明に係る落差工１０を下水管路１１に適用した例を示したが、これに代えて、例えば上水管路に本発明に係る落差工１０を適用することができる。
【図面の簡単な説明】
【００４８】
【図１】本発明に係る落差工を概略的に示す縦断面図である。
【図２】本発明に係る案内部材を概略的に示す斜視図である。
【図３】図１とは別の実施例に係る落差工を概略的に示す分解斜視図である。
【符号の説明】
【００４９】
１０  落差工
１４  容器（マンホール）
１５  底部
１７  流入孔
１８  流出孔
２０  案内部材
２２  傾斜面
２４  流路
【図１】
2008121348.tif 000003
【図２】
2008121348.tif 000004
【図３】
2008121348.tif 000005